(57)【要約】【課題】報知部包囲枠体の側方領域の有効利用を図ることが可能な弾球遊技機を提供する。【解決手段】本発明のパチンコ遊技機１０は、ガイドレール１２に囲まれた遊技領域Ｒ１内に表示枠体２３を備え、その表示枠体２３の下方領域に、中央大入賞口１５と、中央大入賞口１５に遊技球を案内するメイン誘導釘群１１Ｕが備えられている。そして、遊技領域Ｒ１のうち表示枠体２３の側方領域には、始動ゲート１８と第２始動入賞口４０Ａと右側サイド誘導部材２４Ｒとが上下に並べて配置されている。その右側サイド誘導部材２４Ｒには、遊技球を案内するサブ誘導面２４Ｖが備えられ、そのサブ誘導面２４Ｖは、メイン誘導釘群１１Ｕの配列方向より緩やかに傾斜している。またサイド始動入賞口４０Ａは、メイン誘導釘群１１Ｕの配列方向の延長線Ｌ１上に配置されている。【選択図】図６
2010099120.tif 000002
【特許請求の範囲】
【請求項１】
遊技球が流下可能な略円形の遊技領域を前面に備えた遊技板と、
前記遊技板の前面から突出し、前記遊技領域を囲む区画壁と、
前記遊技領域に配置され、遊技の当否判定結果を報知可能な報知部と、
前記報知部を囲む報知部包囲枠体と、
前記報知部包囲枠体に形成されて前記遊技板の前面から突出し、前記報知部の前面領域に遊技球が進入することを規制する進入規制突部と、
前記報知部包囲枠体の下方領域における左右方向の中央に配置され、遊技球が入球可能な中央メイン入賞口と、
前記報知部包囲枠体の下方領域における左右方向の端部から前記中央メイン入賞口に向かって傾斜して下るように配列されたメイン誘導釘群とを備え、
前記遊技領域のうち前記報知部包囲枠体の上方領域に遊技球を打ち込んで、前記報知部包囲枠体の側方領域から下方領域へと流下可能とした弾球遊技機において、
前記報知部包囲枠体の側方領域には、遊技球が内側を通過可能なサイド入球口と、通常は閉塞しかつ遊技球が前記サイド入球口の内側を通過したことを起因にして遊技球が入球可能となりかつ前記メイン誘導釘群の配列方向の延長線上或いはその延長線より下方に配置された第１サイド可変入賞口と、遊技球を前記メイン誘導釘群へと誘導するサブ誘導面を有したサイド誘導部材とが上から順番に配置され、
前記サイド誘導部材の前記サブ誘導面は、前記第１サイド可変入賞口に入球せずに通過した遊技球を受けて流下させると共に、前記メイン誘導釘群の上端部に向かって前記メイン誘導釘群の配列方向より緩やかに傾斜していることを特徴とする弾球遊技機。
【請求項２】
前記進入規制突部には、前記サイド入球口と前記第１サイド可変入賞口との間のサイド中間領域に向かって開口し、遊技球が入球可能な第２サイド可変入賞口と、前記第２サイド可変入賞口の下端部を回動支点にして前記サイド中間領域内で回動すると共に、通常は閉じられ、前記第１サイド可変入賞口に遊技球が入球したことを条件にして所定期間に亘って開かれる第２サイド可動扉とが設けられたことを特徴とする請求項１に記載の弾球遊技機。
【請求項３】
前記報知部包囲枠体の側方領域のうち前記サイド中間領域の側方には、開いた状態の前記第２サイド可動扉に向かって遊技球を案内するサイド誘導釘群が備えられたことを特徴とする請求項２に記載の弾球遊技機。
【請求項４】
前記第１サイド可変入賞口は、遊技板の前面に開口し、
前記第１サイド可変入賞口を開閉する第１サイド可動扉と、前記第１サイド可変入賞口の下面に沿って前後に進退する進退ガイド片とを設け、
前記進退ガイド片は、前記第１サイド可動扉が閉じたときには、前記遊技板の前面より後方に退避し、前記第１サイド可動扉が開いたときには、前記遊技板の前面から前方に突出して遊技球を受け、その遊技球を前記第１サイド可変入賞口内に案内することを特徴とする請求項１乃至３の何れかに記載の弾球遊技機。
【請求項５】
前記サイド入球口の内側を遊技球が通過したことを起因に、前記第１サイド可動扉を開くか否かの当否判定を行い、当たりの場合に前記第１サイド可動扉を所定期間に亘って開くことを特徴とする請求項１乃至４の何れかに記載の弾球遊技機。
【請求項６】
前記第１サイド可変入賞口に遊技球が入球したことを起因に、前記第２サイド可変入賞口の前記第２サイド可動扉を開くか否かの当否判定を行い、当たりの場合に前記第２サイド可動扉を所定期間に亘って開くことを特徴とする請求項２乃至５の何れかに記載の弾球遊技機。
【請求項７】
前記中央メイン入賞口は、前記遊技板の前面に開口し、
前記中央メイン入賞口の下縁部を中心に前後に回動して前記中央メイン入賞口を開閉する中央可動扉が設けられ、
前記報知部包囲枠体の下方領域における左右方向の中央には、前記中央メイン入賞口より上側に中央上部入賞口が設けられ、前記中央上部入賞口に遊技球が入球したときに、前記中央メイン入賞口の前記中央可動扉を開くか否かの当否判定を行い、当たりの場合に前記中央可動扉を所定期間に亘って開き、
さらに、前記第１サイド可変入賞口に遊技球が入球したことを起因に、少なくとも前記第２サイド可変入賞口の前記第２サイド可動扉を開く第１の当たりか、前記中央メイン入賞口の前記中央可動扉を開く第２の当たりかの判定を行い、その判定結果に応じて前記第２サイド可動扉又は前記中央可動扉の何れかを開くことを特徴とする請求項２乃至６の何れかに記載の弾球遊技機。
【請求項８】
前記第２サイド可変入賞口に遊技球が入球したことを起因に、前記中央メイン入賞口の前記中央可動扉を所定期間に亘って開くことを特徴とする請求項７に記載の弾球遊技機。
【請求項９】
前記サイド入球口及び前記第１サイド可変入賞口は、前記報知部包囲枠体の左右の側方領域のうち一方の側方領域のみに設けられ、
前記サイド誘導部材は、前記報知部包囲枠体の左右の両方の側方領域に設けられ、
前記メイン誘導釘群は、前記中央メイン入賞口の両側に設けられたことを特徴とする請求項１乃至８の何れかに記載の弾球遊技機。
【請求項１０】
前記サイド誘導部材は樹脂の成形品であることを特徴とする請求項１乃至９の何れかに記載の弾球遊技機。
【発明の詳細な説明】
【技術分野】
【０００１】
本発明は、遊技球が流下可能な略円形の遊技領域内に遊技の当否判定結果を報知可能な報知部と、その報知部を包囲する報知部包囲枠体とを設け、遊技領域のうち報知部包囲枠体の上方領域に遊技球を打ち込んで報知部包囲枠体の側方領域から下方領域へと流下可能とした弾球遊技機に関する。
【背景技術】
【０００２】
従来、この種の弾球遊技機として、遊技領域のうち報知部包囲枠体の下方領域における左右方向の中央にポケット形入賞口と、回動扉付きの可変入賞口とが備えられ、ポケット形入賞口に遊技球を案内するためのガイドとして誘導釘群が備えられていた。また、その誘導釘群は、報知部包囲枠体の側方領域の下端部から下方領域中央に向けて傾斜して下るように並べられていた。さらに、報知部包囲枠体の上方領域における左右の両端部と、報知部包囲枠体の両方の側方領域の下端寄り位置には、それぞれ遊技球の向きを変更するための進路変更部材（所謂、風車）が備えられていた（例えば、特許文献１参照）。
【特許文献１】特開２００２−３３６４８５号公報（第１図、第２図）
【発明の開示】
【発明が解決しようとする課題】
【０００３】
ところで、近年の弾球遊技機では、報知部（例えば、液晶画面）の大型化に伴ってその報知部を囲む報知部包囲枠体の側方領域が狭くなってきている。また、上記した従来の弾球遊技機では、誘導釘群が報知部包囲枠体の下方領域から側方領域に向かって連続して斜め上方に切れ込むように延びており、この点も報知部包囲枠体の側方領域を狭くする原因になっていた。このため、報知部包囲枠体の側方領域には、遊技球が通過可能なゲートや進路変更用の風車程度しか設けることができず、報知部包囲枠体の側方領域を有効に利用して遊技者を楽しませることができなかった。
【０００４】
本発明は、上記事情に鑑みてなされたもので、報知部包囲枠体の側方領域の有効利用を図ることが可能な弾球遊技機の提供を目的とする。
【課題を解決するための手段】
【０００５】
上記目的を達成するためになされた請求項１の発明に係る弾球遊技機は、遊技球が流下可能な略円形の遊技領域を前面に備えた遊技板と、遊技板の前面から突出し、遊技領域を囲む区画壁と、遊技領域に配置され、遊技の当否判定結果を報知可能な報知部と、報知部を囲む報知部包囲枠体と、報知部包囲枠体に形成されて遊技板の前面から突出し、報知部の前面領域に遊技球が進入することを規制する進入規制突部と、報知部包囲枠体の下方領域における左右方向の中央に配置され、遊技球が入球可能な中央メイン入賞口と、報知部包囲枠体の下方領域における左右方向の端部から中央メイン入賞口に向かって傾斜して下るように配列されたメイン誘導釘群とを備え、遊技領域のうち報知部包囲枠体の上方領域に遊技球を打ち込んで、報知部包囲枠体の側方領域から下方領域へと流下可能とした弾球遊技機において、報知部包囲枠体の側方領域には、遊技球が内側を通過可能なサイド入球口と、通常は閉塞しかつ遊技球がサイド入球口の内側を通過したことを起因にして遊技球が入球可能となりかつメイン誘導釘群の配列方向の延長線上或いはその延長線より下方に配置された第１サイド可変入賞口と、遊技球をメイン誘導釘群へと誘導するサブ誘導面を有したサイド誘導部材とが上から順番に配置され、サイド誘導部材のサブ誘導面は、第１サイド可変入賞口に入球せずに通過した遊技球を受けて流下させると共に、メイン誘導釘群の上端部に向かってメイン誘導釘群の配列方向より緩やかに傾斜しているところに特徴を有する。
【０００６】
請求項２の発明は、請求項１に記載の弾球遊技機において、進入規制突部には、サイド入球口と第１サイド可変入賞口との間のサイド中間領域に向かって開口し、遊技球が入球可能な第２サイド可変入賞口と、第２サイド可変入賞口の下端部を回動支点にしてサイド中間領域内で回動すると共に、通常は閉じられ、第１サイド可変入賞口に遊技球が入球したことを条件にして所定期間に亘って開かれる第２サイド可動扉とが設けられたところに特徴を有する。
【０００７】
請求項３の発明は、請求項２に記載の弾球遊技機において、報知部包囲枠体の側方領域のうちサイド中間領域の側方には、開いた状態の第２サイド可動扉に向かって遊技球を案内するサイド誘導釘群が備えられたところに特徴を有する。
【０００８】
請求項４の発明は、請求項１乃至３の何れかに記載の弾球遊技機において、第１サイド可変入賞口は、遊技板の前面に開口し、第１サイド可変入賞口を開閉する第１サイド可動扉と、第１サイド可変入賞口の下面に沿って前後に進退する進退ガイド片とを設け、進退ガイド片は、第１サイド可動扉が閉じたときには、遊技板の前面より後方に退避し、第１サイド可動扉が開いたときには、遊技板の前面から前方に突出して遊技球を受け、その遊技球を第１サイド可変入賞口内に案内するところに特徴を有する。
【０００９】
請求項５の発明は、請求項１乃至４の何れかに記載の弾球遊技機において、サイド入球口の内側を遊技球が通過したことを起因に、第１サイド可動扉を開くか否かの当否判定を行い、当たりの場合に第１サイド可動扉を所定期間に亘って開くところに特徴を有する。
【００１０】
請求項６の発明は、請求項２乃至５の何れかに記載の弾球遊技機において、第１サイド可変入賞口に遊技球が入球したことを起因に、第２サイド可変入賞口の第２サイド可動扉を開くか否かの当否判定を行い、当たりの場合に第２サイド可動扉を所定期間に亘って開くところに特徴を有する。
【００１１】
請求項７の発明は、請求項２乃至６の何れかに記載の弾球遊技機において、中央メイン入賞口は、遊技板の前面に開口し、中央メイン入賞口の下縁部を中心に前後に回動して中央メイン入賞口を開閉する中央可動扉が設けられ、報知部包囲枠体の下方領域における左右方向の中央には、中央メイン入賞口より上側に中央上部入賞口が設けられ、中央上部入賞口に遊技球が入球したときに、中央メイン入賞口の中央可動扉を開くか否かの当否判定を行い、当たりの場合に中央可動扉を所定期間に亘って開き、さらに、第１サイド可変入賞口に遊技球が入球したことを起因に、少なくとも第２サイド可変入賞口の第２サイド可動扉を開く第１の当たりか、中央メイン入賞口の中央可動扉を開く第２の当たりかの判定を行い、その判定結果に応じて第２サイド可動扉又は中央可動扉の何れかを開くところに特徴を有する。
【００１２】
請求項８の発明は、請求項７に記載の弾球遊技機において、第２サイド可変入賞口に遊技球が入球したことを起因に、中央メイン入賞口の中央可動扉を所定期間に亘って開くところに特徴を有する。
【００１３】
請求項９の発明は、請求項１乃至８の何れかに記載の弾球遊技機において、サイド入球口及び第１サイド可変入賞口は、報知部包囲枠体の左右の側方領域のうち一方の側方領域のみに設けられ、サイド誘導部材は、報知部包囲枠体の左右の両方の側方領域に設けられ、メイン誘導釘群は、中央メイン入賞口の両側に設けられたところに特徴を有する。
【００１４】
請求項１０の発明は、請求項１乃至９の何れかに記載の弾球遊技機において、サイド誘導部材は樹脂の成形品であるところに特徴を有する。
【発明の効果】
【００１５】
［請求項１，２，３の発明］
請求項１の弾球遊技機では、報知部包囲枠体の上方領域から側方領域へと流下した遊技球は、サイド入球口の内側を通過するか否かに分かれ、そのサイド入球口の下方で、第１サイド可変入賞口に入球するか否かに分かれる。そして、第１サイド可変入賞口に入球せずにサイド誘導部材の誘導面に到達すると、そのサイド誘導部材の誘導面から報知部包囲枠体の下方領域のメイン誘導釘群に移動し、中央メイン入賞口へと案内される。ここで、本発明では、サイド誘導部材の誘導面がメイン誘導釘群の上端部に向かってメイン誘導釘群の配列方向より緩やかに傾斜しているので、従来より、報知部包囲枠体の側方領域が上下方向に広くなる。これにより、報知部包囲枠体の側方領域に、サイド入球口と第１サイド可変入賞口とを上下に並べて設けることが可能になると共に、第１サイド可変入賞口をメイン誘導釘群の配列方向の延長線上或いはその延長線より下方に配置することで、サイド入球口と第１サイド可変入賞口との間を広くすることが可能となり、報知部包囲枠体の側方領域を有効に利用することが可能となる。
【００１６】
しかも、第１サイド可変入賞口は、通常は閉塞しており、遊技球がサイド入球口の内側を通過したことを起因にして遊技球が入球可能となるので、サイド入球口の内側を遊技球が通過するか否かに興味を持たせることができ、サイド入球口の内側を遊技球が通過した後は、第１サイド可変入賞口に遊技球が入球するか否かに興味を持たせることができる。このように本発明によれば、遊技領域のうち報知部包囲枠体の側方領域を有効に利用して遊技者を楽しませることができる。
【００１７】
また、上記の如く報知部包囲枠体の側方領域を従来より広くしたことで、請求項２の弾球遊技機のように、サイド入球口と第１サイド可変入賞口との間のサイド中間領域に向かって開口する第２サイド可変入賞口を、報知部包囲枠体の進入規制突部に設けかつ、サイド中間領域内で回動する第２サイド可動扉で第２サイド可変入賞口を開閉することが可能になる。そして、第２サイド可変入賞口の第２サイド可動扉も、通常は閉塞しており、遊技球が第１サイド可変入賞口に入球したことを起因にして遊技球が入球可能となるので、第１サイド可変入賞口に遊技球が入球するか否かに興味を持たせることができ、第１サイド可変入賞口に遊技球が入球した後は、第２サイド可変入賞口に遊技球が入球するか否かに興味を持たせることができる。
【００１８】
さらに、上記の如く報知部包囲枠体の側方領域を従来より広くしたことで、請求項３の弾球遊技機のように、サイド中間領域の側方にサイド誘導釘群を設け、開いた状態の第２サイド可動扉へと遊技球を案内することもできる。
【００１９】
［請求項４の発明］
請求項４の弾球遊技機に備えた第１サイド可変入賞口は、遊技板の前面に開口している。また、その第１サイド可変入賞口を開閉する第１サイド可動扉が、第１サイド可変入賞口に設けられている。さらに、第１サイド可変入賞口の下面に沿って前後に進退する進退ガイド片が設けられている。そして、進退ガイド片は、第１サイド可動扉が閉じたときに、遊技板の前面より後方に退避し、第１サイド可動扉が開いたときに、遊技板の前面から前方に突出して遊技球を受け、その遊技球を第１サイド可変入賞口内に案内する。
【００２０】
［請求項５，６の発明］
請求項５の弾球遊技機では、サイド入球口の内側を遊技球が通過したことを起因に、単に第１サイド可変入賞口を開くのではなく、第１サイド可動扉を開くか否かの当否判定を行い、当たりの場合に第１サイド可動扉を所定期間に亘って開くので、その当否判定によっても遊技者を楽しませることができる。同様に、請求項６の弾球遊技機では、第１サイド可変入賞口に遊技球が入球したときに、第２サイド可変入賞口の第２サイド可動扉を開くか否かの当否判定を行い、当たりの場合に第２サイド可動扉を所定期間に亘って開くので、その当否判定によっても遊技者を楽しませることができる。
【００２１】
［請求項７の発明］
請求項７の弾球遊技機では、中央メイン入賞口は中央可動扉によって開閉されるように構成され、その中央メイン入賞口の上側に設けた中央上部入賞口に遊技球が入球した場合と、第１サイド可変入賞口に遊技球が入球した場合を起因に、中央メイン入賞口の中央可動扉を開くか否かの当否判定を行い、何れかで当たりの場合に中央メイン入賞口の中央可動扉を所定期間に亘って開くので、それらの当否判定によっても遊技者を楽しませることができる。また、第１サイド可変入賞口に遊技球が入球した場合には、それを起因に中央メイン入賞口の中央可動扉を開くか否かの判定だけをするのではなく、第２サイド可変入賞口の第２サイド可動扉を開くか否かの判定も行うので、さらに遊技者を楽しませることができる。
【００２２】
［請求項８の発明］
請求項８の弾球遊技機では、第２サイド可変入賞口に遊技球が入球したことを起因に、中央メイン入賞口の中央可動扉を所定期間に亘って開くので、第２サイド可変入賞口に遊技球が入球するか否かに興味を持たせることができ、第２サイド可変入賞口に遊技球が入球した後は、中央上部入賞口に遊技球が入球するか否かに興味を持たせることができる。また、第１サイド可変入賞口に遊技球が入球した場合には、それを起因に、単に中央メイン入賞口の中央可動扉を開くか否かの当否判定をするのではなく、第２サイド可変入賞口の第２サイド可動扉を開くか、或いは中央可動扉を開くかの判定を行い、「第１の当たり」の場合に第２サイド可動扉を所定期間に亘って開き、「第２の当たり」の場合に中央可動扉を所定期間に亘って開くので、その判定によっても遊技者を楽しませることができる。即ち、第１サイド可変入賞口に遊技球が入球した後は、中央メイン入賞口又は第２サイド可変入賞口に遊技球が入球するか否かに興味を持たせることができる。
【００２３】
［請求項９の発明］
請求項９の弾球遊技機では、サイド誘導部材を、報知部包囲枠体の左右の両方の側方領域に設けたので、それら両方の側方領域を従来より広くすることができる。
【００２４】
［請求項１０の発明］
請求項１０の弾球遊技機では、サイド誘導部材は樹脂の成形品であるので、量産した際に安価に製造することができる。
【００２５】
なお、本願明細書において「入賞口」とは、遊技球が入球可能であると共に、遊技球の入球によって遊技者に利益が付与される部位をいう。また、本願明細書において、「入賞口に遊技球が入賞する」とは、「入賞口に遊技球が入球する」と同義である。
【発明を実施するための最良の形態】
【００２６】
以下、本発明を適用したパチンコ遊技機１０に係る一実施形態を、図１〜図６に基づいて説明する。図１に示すように、本実施形態のパチンコ遊技機１０の遊技板１１には、略円形の遊技領域Ｒ１が設けられている。遊技板１１は、図２に示すように、全体が略四角形の木板であって、この遊技板１１の前面（遊技者と対向する側の面）は樹脂でコーティングされている。遊技領域Ｒ１は周囲をガイドレール１２（本発明に係る「区画壁」に相当する）によって囲まれている。ガイドレール１２は、第１及び第２の板金レール１２Ａ，１２Ｂとによって構成されている。また、各板金レール１２Ａ，１２Ｂは、帯状の板金を円弧状に湾曲させてなり、その一側縁部を遊技板１１の前面に宛がった状態に取り付けられている。
【００２７】
具体的には、板金レール１２Ａ，１２Ｂの一側縁部の複数位置には図示しない取付釘が溶接され、それら取付釘を遊技板１１に形成された図示しない孔に圧入して板金レール１２Ａ，１２Ｂが遊技板１１から前方に突出した状態に固定されている。そして、第１の板金レール１２Ａは、遊技領域Ｒ１の周縁部のうち上側の略１／４円周分ほどを除いた部分に沿わせて配置されている。また、第２の板金レール１２Ｂの一端部は、第１の板金レール１２Ａの最下端部に対して左斜め下方（図２に向かって左下方。以下同様。）に配置される一方、第２の板金レール１２Ｂの他端部は、第１の板金レール１２Ａの右側端部に対して、遊技球にして１〜２球分上方にオフセットした位置に配置されている。
【００２８】
第１の板金レール１２Ａの右側端部と第２の板金レール１２Ｂの右側端部との間は、緩衝部１２Ｃによって閉塞されている。緩衝部１２Ｃは、遊技板１１に固定された樹脂部材にゴム部材を取り付けてなり、そのゴム部材が第１と第２の板金レール１２Ａ，１２Ｂの隙間から遊技領域Ｒ１内に臨んでいる。また、第１の板金レール１２Ａの左側端部と第２の板金レール１２Ｂの途中部分との間は、遊技球の１〜２球分離され、ここが遊技球の進入口１２Ｋになっている。また、第１の板金レール１２Ａの左端部には、進入口１２Ｋを通って遊技球が遊技領域Ｒ１の外側に出ないようにするための可撓片１２Ｈが備えられている。
【００２９】
図１に示すように、遊技板１１は前側を前面枠１０Ｚにて覆われ、その前面枠１０Ｚには、遊技領域Ｒ１に対応した略円形のガラス窓１０Ｗが設けられている。そして、そのガラス窓１０Ｗを通して遊技領域Ｒ１が前方に臨んでいる。前面枠１０Ｚのうちガラス窓１０Ｗの上方には左右に１対のスピーカ２５Ｓ，２５Ｓが設けられ、ガラス窓１０Ｗより下方には、上皿２７Ａ及び下皿２７Ｂが上下２段にして設けられている。そして、前面枠１０Ｚの右下角部に備えた操作ノブ２８を回動操作すると、上皿２７Ａに収容された遊技球が、第２の板金レール１２Ｂに沿って発射され、遊技領域Ｒ１へと送り込まれる。なお、上皿２７Ａに備えたボタン２９を押すと上皿２７Ａに収容されていた遊技球が下皿２７Ｂへと移動する。また、下皿２７Ｂの下方に容器（所謂、ドル箱）を配置して下皿２７Ｂに備えた遊技ボタン２７Ｃを押すと下皿２７Ｂに収容されていた遊技球が容器へと移動する。さらに、下皿２７Ｂの左側には、操作ジョグ２７Ｊが備えられ、遊技ボタン２７Ｃの右側には、球貸し状態表示モニター２７Ｄ及び球貸し操作ボタン２７Ｅが設けられている。
【００３０】
遊技領域Ｒ１の中央には、表示窓３４Ｗが貫通形成され、その表示窓３４Ｗの奥部には液晶表示画面３４（本発明の「報知部」に相当する）が備えられている。また、表示窓３４Ｗの縁部には、遊技板１１の前面側から表示枠体２３（本発明の「報知部包囲枠体」に相当する）が装着されている。なお、表示枠体２３は、樹脂の成形部品を複数組み合わせてなる。
【００３１】
図３及び図４に示すように、表示枠体２３の側面からは、略全体に亘って取付壁２３Ｆが張り出している。その取付壁２３Ｆには、点在した複数位置にビス孔２３Ｅが貫通形成されている。そして、遊技板１１に形成された表示開口（図示せず）の開口縁に取付壁２３Ｆを重ねた状態にして、ビス孔２３Ｅに挿通したビスを遊技板１１に締め付けて固定されている。なお、取付壁２３Ｆの外縁部には傾斜面が形成され、遊技球が取付壁２３Ｆにスムーズに乗り上がるようになっている。
【００３２】
表示枠体２３のうち上辺部分及び両側辺部分には、取付壁２３Ｆより前方に突出して遊技球が液晶表示画面３４の前側を通過することを規制する進入規制突部２３Ａが備えられている。具体的には、表示枠体２３の上辺部分には左右方向の中央に段差部２３Ｄが設けられ、その段差部２３Ｄより右側が高くなっている。
【００３３】
図２に示すように、表示枠体２３の上辺部分のうち上記段差部２３Ｄより左側部分においては、進入規制突部２３Ａの外側面が、左側方に向かって緩やかに傾斜しかつ、途中から湾曲しながら略鉛直下方に向かっている。一方、表示枠体２３のうち段差部２３Ｄより右側部分においては、進入規制突部２３Ａの外側面が、ガイドレール１２との間に遊技球略１．５個分の間隔を開けて、そのガイドレール１２と同心の略円弧を描いて延び、途中で鉛直下方に屈曲している。なお、進入規制突部２３Ａの外側面のうち上部と右側部との間の屈曲部分は、緩衝部１２Ｃより若干上方に位置している。
【００３４】
表示枠体２３の左辺部分における上下方向の中間部から下端寄り位置に亘る範囲には、ワープ樋３９が設けられている。ワープ樋３９の上端は、表示枠体２３の外側面に開口した入球口３９Ａになっている。そして、入球口３９Ａに入球した遊技球は、表示枠体２３を通過して次述するステージ２３Ｓの上面に排出される。
【００３５】
表示枠体２３の下辺部分の内側上面には、遊技球が転動可能なステージ２３Ｓが設けられている。ステージ２３Ｓは、表示枠体２３の奥行き方向で２段になっており、前段部が後段部より低くなっている。また、ステージ２３Ｓの前段部における左右方向の中央には誘導溝２３Ｙが陥没形成され、ここに進入した遊技球は、中央始動入賞口１４の真上で表示枠体２３の外に排出される。
【００３６】
表示枠体２３のうち右側部分の進入規制突部２３Ａの外側面には、上下方向の中間部分から下端寄り位置に亘る範囲に、入賞樋３７が設けられている。入賞樋３７の上端は、進入規制突部２３Ａの外側面に開口したサイド大入賞口３７Ａ（本発明に係る「第２サイド可変入賞口」に相当する）になっており、そのサイド大入賞口３７Ａは、通常は、サイドメイン可動扉３７Ｔ（本発明の「第２サイド可動扉」に相当する）によって閉塞されている。そのサイドメイン可動扉３７Ｔは、サイド大入賞口３７Ａの下端部を中心にして回動可能になっており、所定の条件が成立したときに、側方に倒れるように回動して傾斜姿勢になり、サイド大入賞口３７Ａを開放すると共にサイド大入賞口３７Ａに遊技球を案内する。
【００３７】
入賞樋３７は、サイド大入賞口３７Ａから下方に延びかつ表示窓３４Ｗの奥側に直角曲げされて透視ケース３８に繋がっている。透視ケース３８は、透明な樹脂で構成され、ステージ２３Ｓにおける右側端部に配置されている。詳細には、透視ケース３８は、ステージ２３Ｓの前段部と後段部とを合わせた全体幅と同じ位の幅をなしてステージ２３Ｓより上方に突出している。また、透視ケース３８の内部は、図３に示すように、前後に分けられ、後側に相当する部分に装飾基板等を配置し、前側に相当する部分のみが遊技球１個分通過可能な幅の通過領域になっており、その遊技球の通過領域の下面に継続入賞口３７Ｚと計数入賞口３７Ｓを横並びにして備えている。
【００３８】
継続入賞口３７Ｚは透視ケース３８内の右側、計数入賞口３７Ｓは透視ケース３８内の左側に配置され、さらに、透視ケース３８内の右側部分には、継続入賞口３７Ｚより高い中段位置に中段壁３８Ｎが備えられている。また、中段壁３８Ｎの下面に重ねて規制片３８Ｋが配置され、ソレノイドにより規制片３８Ｋが左右方向に直動されるようになっている。そして、規制片３８Ｋは、サイドメイン可動扉３７Ｔが開いたときには、継続入賞口３７Ｚから離れた位置に退避し、継続入賞口３７Ｚへの遊技球の入球が可能になり、遊技球が１つ継続入賞口３７Ｚに入球すると、規制片３８Ｋが継続入賞口３７Ｚ側に出現し、継続入賞口３７Ｚへの入球を禁止する。一方、計数入賞口３７Ｓは常時開放されている。そして、入賞樋３７に遊技球が入球するたびに、その遊技球が継続入賞口３７Ｚ及び計数入賞口３７Ｓの何れかに入球し、継続入賞口３７Ｚ及び計数入賞口３７Ｓの何れかに遊技球が１つ入球する度に、例えば、１５個の遊技球が上皿２７Ａに払い出される。
【００３９】
遊技領域Ｒ１のうち表示枠体２３の下方における左右方向の中央部には、図２に示すように、中央始動入賞口１４（本発明の「中央上部入賞口」に相当する）、中央大入賞口１５（本発明の「中央メイン入賞口」に相当する）及びアウト口１６が上から順番に並べて設けられ、左右の両側部には、ガイドレール１２に沿って一般入賞口２０，２１及びサイドランプ２２がそれぞれ設けられている。そして、中央始動入賞口１４、中央大入賞口１５、一般入賞口２０，２１及びアウト口１６に入球した遊技球は、遊技板１１の裏側に取り込まれ、中央始動入賞口１４、中央大入賞口１５及び一般入賞口２０，２１の奥部に備えた図示しない検出スイッチによって、遊技球の入球が検出される。
【００４０】
中央大入賞口１５は、横長矩形に形成されて、常には、中央可動扉１５Ｔにて閉塞されている。そして、所定の条件が成立したときに中央可動扉１５Ｔが下縁部を中心に回動して斜め前側に開き、その中央可動扉１５Ｔを案内にして中央大入賞口１５に多くの遊技球が入球可能となる。また、中央大入賞口１５の内部には、計数入賞口（図示せず）が設けられている。中央可動扉１５Ｔが開いたときには、計数入賞口で遊技球の通過を検出して中央大入賞口１５に入球した遊技球数を計数している。また、計数入賞口に遊技球が１つ入球する度に、例えば、１５個の遊技球が上皿２７Ａに払い出される。
【００４１】
中央始動入賞口１４及び一般入賞口２０，２１は、所謂、ポケット構造をなし、遊技球が丁度１つ入球可能な大きさで上方に開口している。また、中央始動入賞口１４及び一般入賞口２０，２１に遊技球が１つ入球する度に、例えば、４個の賞球が上皿２７Ａに払い出される。
【００４２】
図２に示すように、遊技領域Ｒ１のうち表示枠体２３の右側の側方領域には、上端部に、進入規制突部２３Ａと緩衝部１２Ｃとに挟まれた関所部Ｒ２が設けられている。関所部Ｒ２は、遊技球が１つ通過可能な幅になっている。また、表示枠体２３の右側の側方領域は、関所部Ｒ２から上下方向の中間部までは、ガイドレール１２の側方への膨出形状に従って下方に向かって徐々に横幅が広くなり、上下方向の中間部より下側が下方に向かって徐々に横幅が狭くなっている。そして、表示枠体２３の右側の側方領域のうち上下方向で最も横幅が広くなった領域に臨むように前記したサイド大入賞口３７Ａが配置されている。
【００４３】
表示枠体２３の右側の側方領域のうちサイド大入賞口３７Ａを開閉する前記サイドメイン可動扉３７Ｔの回動範囲（本発明に係る「サイド中間領域」に相当する）と関所部Ｒ２との間には、始動ゲート１８（本発明の「サイド入球口」に相当する）が設けられている。始動ゲート１８は、内側を遊技球が通過可能な門形構造をなし、内側を通過した遊技球は始動ゲート１８に内蔵されたゲートスイッチ（図示せず）によって検出される。
【００４４】
表示枠体２３の右側の側方領域のうちサイドメイン可動扉３７Ｔの回動領域より下方には、サイド始動入賞口４０Ａ（本発明に係る「第１サイド可変入賞口」に相当する）が設けられている。図５に示すように、サイド始動入賞口４０Ａは、遊技球１つ分上方にゲート部４０Ｘを備えている。ゲート部４０Ｘは、左右に並んだ１対のゲート支柱４０Ｇ，４０Ｇを有してなり、それら１対のゲート支柱４０Ｇ，４０Ｇは、遊技球が丁度１つ通過可能な間隔に配置されている。
【００４５】
サイド始動入賞口４０Ａは、遊技球が１つ入球可能な幅をなし、１対のゲート支柱４０Ｇ，４０Ｇに挟まれた部位の真下に位置して、前方に向かって遊技板１１の前面に開口している。サイド始動入賞口４０Ａの内部には、サイド始動入賞口４０Ａを開閉するサイドサブ可動扉４０Ｔ（図６参照。本発明の「第１サイド可動扉」に相当する）と、サイド始動入賞口４０Ａの下面に沿って前後に進退する進退ガイド片４０Ｚが設けられている。また、そのサイドサブ可動扉４０Ｔは通常はサイド始動入賞口４０Ａを閉塞し、進退ガイド片４０Ｚは、通常は、サイド始動入賞口４０Ａ内、即ち、遊技板１１の前面より後方に配置されている。そして、所定の条件が成立すると、サイドサブ可動扉４０Ｔが開くと共に進退ガイド片４０Ｚが遊技板１１の前面より前方に突出し、ゲート支柱４０Ｇ，４０Ｇの内部を通過した遊技球をサイド始動入賞口４０Ａに取り込む。また、サイド始動入賞口４０Ａに遊技球が１つ入球する度に、例えば、４個の賞球が上皿２７Ａに払い出される。
【００４６】
図２に示すように、表示枠体２３の右側の側方領域のうちサイド始動入賞口４０Ａより下方には、右側サイド誘導部材２４Ｒが設けられている。右側サイド誘導部材２４Ｒは、樹脂の成形品であって、図５に示すように、全体が略三角形になって遊技板１１の前面から突出している。また、右側サイド誘導部材２４Ｒには、上方を向くと共に遊技領域Ｒ１の左右方向の中央に向かって滑らかかつ緩やかな角度で傾斜したサブ誘導面２４Ｖが備えられている。具体的には、サブ誘導面２４Ｖは、水平面に対して例えば５度の傾斜角で遊技領域Ｒ１の左右方向の中央に向かって下るように傾斜している。また、サブ誘導面２４Ｖの上端は、図６に示すように、ガイドレール１２に隣接しており、右側サイド誘導部材２４Ｒの上端部とガイドレール１２との間に遊技球を通過しないようになっている。さらに、サブ誘導面２４Ｖとサイド始動入賞口４０Ａの下端部との間は、遊技球１つ分だけ通過可能な間隔を開けて離れている。また、本実施例においては、サイド始動入賞口４０Ａと右側サイド誘導部材２４とは一体的に構成され、一体的に構成された部材の遊技板１１への取付ベース部と前記表示枠体２３の遊技板１１への取付ベース部（即ち、取付壁２３Ｆ）とが緩衝しそうな位近傍に配置されている。そして、サイド始動入賞口４０Ａ及び右側サイド誘導部材２４Ｒの前面は、透明なカバー２４Ｋによって覆われている（図４参照）。
【００４７】
図２に示すように、遊技領域Ｒ１のうち表示枠体２３の左側の側方領域には、下寄り位置に風車１９が設けられている。風車１９は、遊技板１１から起立した支軸（図示せず）に回転可能に支持され、遊技球が衝突して自在に回転する。その風車１９の下方には、左側サイド誘導部材２４Ｌが設けられている。左側サイド誘導部材２４Ｌも、右側サイド誘導部材２４Ｒと同様に樹脂製であって、遊技領域Ｒ１の中央側に向かって緩やかに傾斜するサブ誘導面２４Ｗを備えている。また、左側サイド誘導部材２４Ｌの下方には、複数（例えば、１０個）のＬＥＤを有した保留数表示部３６と７セグメントＬＥＤで構成された普通図柄表示部３６Ｆとが設けられている。なお、本実施形態では、左側サイド誘導部材２４Ｌのサブ誘導面２４Ｗと右側サイド誘導部材２４Ｒのサブ誘導面２４Ｖとは、左右対称な形状になっている。
【００４８】
遊技領域Ｒ１には、表示枠体２３の外側領域全体に亘って複数の釘１１Ｎが起立している。釘１１Ｎは、所々連なって、遊技球の流下方向を誘導する誘導釘群を構成している。その代表的な誘導釘群として、表示枠体２３の下方領域には、遊技球を中央大入賞口１５に案内するためのメイン誘導釘群１１Ｕ，１１Ｕが中央大入賞口１５の左右に設けられている。それらメイン誘導釘群１１Ｕ，１１Ｕは、例えば左右各１６本ずつの釘１１Ｎによって、左右方向の端部から中央大入賞口１５に向かって傾斜して下るように配列されている。そして、メイン誘導釘群１１Ｕを構成する釘１１Ｎの上面を、メイン誘導面１１Ｖとして、そのメイン誘導面１１Ｖ上を遊技球が転動して中央大入賞口１５に案内される。
【００４９】
また、前記したサイド始動入賞口４０Ａは、右側のメイン誘導釘群１１Ｕの配列方向の延長線Ｌ１上に配置されている。より具体的には、図６に示すように、遊技板１１を前方から見たとき、右側のメイン誘導釘群１１Ｕにおけるメイン誘導面１１Ｖの延長線Ｌ１がサイド始動入賞口４０Ａの開口を横切るように配置されている。
【００５０】
さらに、右側サイド誘導部材２４Ｒのサブ誘導面２４Ｖは、右側のメイン誘導釘群１１Ｕの上端部に向かってメイン誘導釘群１１Ｕの配列方向より緩やかに傾斜している。より具体的には、図６に示すように、遊技板１１を前方から見たとき、右側のメイン誘導釘群１１Ｕのメイン誘導面１１Ｖにおける上端部とサブ誘導面２４Ｖの下端部とが突き合わされ、サブ誘導面２４Ｖがメイン誘導面１１Ｖの上端部における傾斜（水平線に対して例えば傾斜角２７度）より水平に近い緩やかな角度で傾斜してメイン誘導面１１Ｖの上端部に向かって傾斜している。
【００５１】
ここで、メイン誘導面１１Ｖの傾斜角について詳説する。図７及び図８に示すように、一般的に、遊技球の直径は１１ｍｍ、釘１１Ｎの直径は１．８５ｍｍとなっている。そして、釘１１Ｎの頭部分や釘打ち機を考慮すると、釘間（釘１１Ｎの中心から中心までの距離）が約５．３〜５．５ｍｍは必要になる。図７には、釘１１Ｎの頭部分が、２点鎖線で示されている。
【００５２】
ここで、例えば、釘間を５．５ｍｍとし、傾斜角を２５度、２６度、２７度とした場合について説明する。傾斜角を２５度にすると、図７（Ａ）に示すように、遊技球の重心が、その遊技球に接触する２つの釘１１Ｎのうち下側の釘１１Ｎの中心の真上よりも後側（傾斜に対して上方）に位置している。即ち、遊技球の重心が、釘間を構成する２つの釘１１Ｎの間に位置することによって、釘間で遊技球が止まる可能性がある。
【００５３】
これに対し、傾斜角を２６度にすると、図７（Ｂ）に示すように、遊技球の重心が、その遊技球に接触する２つの釘１１Ｎのうち下側の釘１１Ｎの中心の真上よりも前側（傾斜に対して下方）に位置している。即ち、遊技球の重心が、釘間を構成する２つの釘１１Ｎの外側に位置することによって、釘間で遊技球が止まることなく、遊技球は常に下方に転がることになる。また、傾斜角を２７度とすると、図８（Ａ）に示すように、傾斜角２６度よりも、遊技球の重心が、更に前側（傾斜に対して下方）に位置する。このことから、本実施形態では、確実に遊技球を流下させるために、メイン誘導面１１Ｖ（メイン誘導釘群１１Ｕ）の傾斜角を２７度以上としている。
【００５４】
メイン誘導釘群１１Ｕよりも上方の領域を確保するためには、メイン誘導面１１Ｖの傾斜角は小さくする方が好ましい。しかしながら、誘導面を誘導釘だけで構成すると、最小限必要な２７度の傾斜角にしたとしても、右側のメイン誘導釘群１１Ｕにおけるメイン誘導面１１Ｖの延長線Ｌ１上には、サイド始動入賞口４０Ａの開口が配置されているため、釘１１Ｎを打つことができない。これに対して、本実施形態では、右側サイド誘導部材２４Ｒに形成された連続して滑らかな面のサブ誘導面２４Ｖによって誘導面を構成しているので、傾斜角を例えば５度まで緩やかにしても、遊技球をメイン誘導釘群１１Ｕに向かって案内することができ、球詰まりを抑制することができる。なお、傾斜角を５度にすると、図８（Ｂ）に示すように、遊技球の重心が、その遊技球に接触する２つの釘１１Ｎの中間位置に近くなり、釘間で遊技球が止まる可能性が高くなる。
【００５５】
また、図２に示すように、左側サイド誘導部材２４Ｌのサブ誘導面２４Ｗも、右側サイド誘導部材２４Ｒのサブ誘導面２４Ｖと同様に、左側のメイン誘導釘群１１Ｕの上端部に向かってメイン誘導釘群１１Ｕの配列方向より緩やかに傾斜している。
【００５６】
図６に示すように、サイドメイン可動扉３７Ｔの回動領域の右斜め上方には、サイド誘導釘群１１Ｓが設けられている。サイド誘導釘群１１Ｓは、例えば、６本の釘１１Ｎによって構成され、開いた状態のサイドメイン可動扉３７Ｔへと遊技球を案内するように配列されている。
【００５７】
なお、上記したメイン誘導釘群１１Ｕ、サイド誘導釘群１１Ｓ以外にも、例えば、サイド始動入賞口４０Ａの上方には、サイド始動入賞口４０Ａに向かって遊技球の流下方向を誘導する誘導釘群が設けられている。また、風車１９の上方にも、風車１９に向かって遊技球を誘導する誘導釘群が設けられている。
【００５８】
さて、本実施形態のパチンコ遊技機１０では、上記した中央始動入賞口１４、始動ゲート１８、サイド始動入賞口４０Ａに遊技球が入球すると以下の３種類の抽選が行われ、遊技者を楽しませることができる。
【００５９】
具体的には、１種類目の抽選として、中央始動入賞口１４に遊技球が入球する度に、「第１の大当たり遊技」を実行するか否かの当否判定が行われ、その当否判定の結果が、液晶表示画面３４に表示される。液晶表示画面３４には、通常、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが停止表示されている。そして、中央始動入賞口１４に遊技球が入球して当否判定が行われたときに、これら３つの特別図柄１３Ａ，１３Ｂ，１３Ｃが、上下方向にスクロール表示され、所定時間後に、例えば、左、右、中の順で各特別図柄１３Ａ，１３Ｂ，１３Ｃが停止表示される。このとき、遊技の当否判定の結果が「大当たり」であれば、例えば全ての特別図柄１３Ａ，１３Ｂ，１３Ｃが同じ図柄、即ち、ぞろ目になる。
【００６０】
また、左右の特別図柄１３Ａ，１３Ｃが同じ図柄で停止表示し、中特別図柄１３Ｂのみが変動表示したリーチ状態となると、液晶表示画面３４には所定のリーチ演出画像（例えばキャラクタ画像）が表示される。なお、前面枠１０Ｚの左下隅に備えた遊技ボタン２７Ｃを押圧すると、液晶表示画面３４で変動表示されている特別図柄１３Ａ，１３Ｂ，１３Ｃ以外の画像（例えば、キャラクタ画像）を、遊技者の任意のタイミングで停止させることができる。
【００６１】
液晶表示画面３４において特別図柄１３Ａ，１３Ｂ，１３Ｃが変動表示又は「大当たり状態」の最中に中央始動入賞口１４に入球した場合、その入賞球は保留球として最大で４個まで記憶され、その保留記憶数（保留球数）が、前記した保留数表示部３６の上側半分のＬＥＤを使用して表示される。そして、特別図柄１３Ａ，１３Ｂ，１３Ｃが停止表示又は「大当たり状態」が終了すると、その保留記憶数が１つ減らされて再び、特別図柄１３Ａ，１３Ｂ，１３Ｃが変動表示してから停止表示されて、遊技の当否判定結果が表示される。ここで、大当たりになる確率は例えば１／３９９に設定されている。なお、遊技の当否判定の結果が「大当たり」であれば、中央大入賞口１５の中央可動扉１５Ｔを所定期間に亘って開く。
【００６２】
このように、中央始動入賞口１４に遊技球が入球したときに、単に中央大入賞口１５を開くのではなく、中央大入賞口１５を開くか否かの当否判定を行い、当たりの場合に、中央可動扉１５Ｔを開いて中央大入賞口１５を所定期間に亘って開くので、その当否判定によって遊技者を楽しませることができる。そして、中央始動入賞口１４に遊技球が入球するか否かに興味を持たせることができ、中央始動入賞口１４に遊技球が入球した後は、中央大入賞口１５に遊技球が入球するか否かに興味を持たせることができる。
【００６３】
２種類目の抽選として、始動ゲート１８の内側を遊技球が通過する度に、進退ガイド片４０Ｚを作動させるか否かの予備当否判定が行われ、その予備当否判定の結果が、普通図柄表示部３６Ｆに表示される。具体的には、始動ゲート１８の内側を遊技球が通過すると、普通図柄表示部３６Ｆに、「０」〜「９」までの数字からなる数字図柄が所定期間に亘って変動表示された後、所定の数字図柄が停止表示される。このとき停止表示された数字が奇数の場合には、「当たり」となり、偶数の場合には「外れ」になる。ここで、当たりになる確率は例えば９９／１００に設定されている。
【００６４】
そして、予備当否判定の結果が当たりになると、所定期間（例えば、０．０８８秒間）に亘ってサイドサブ可動扉４０Ｔが開きかつ進退ガイド片４０Ｚが前進して、サイド始動入賞口４０Ａに遊技球が入球可能になる。
【００６５】
なお、普通図柄表示部３６Ｆにおいて数字図柄が変動表示又は「当たり状態」の最中に始動ゲート１８の内側を遊技球が通過した場合、その入賞球は保留球として最大で４個まで記憶され、その保留記憶数（保留球数）が、前記した保留数表示部３６の下側半分のＬＥＤを使用して表示される。そして、数字図柄が停止表示又は「当たり状態」が終了すると、その保留記憶数が１つ減らされて再び、数字図柄が変動表示してから停止表示されて、予備当否判定結果が表示される。
【００６６】
このように、サイド始動入賞口４０Ａは、通常は閉塞しており、遊技球が始動ゲート１８の内側を通過したことを起因にして遊技球が入球可能となるので、始動ゲート１８の内側を遊技球が通過するか否かに興味を持たせることができ、始動ゲート１８の内側を遊技球が通過した後は、サイド始動入賞口４０Ａに遊技球が入球するか否かに興味を持たせることができる。しかも、始動ゲート１８の内側を遊技球が通過したときに、単にサイド始動入賞口４０Ａを開くのではなく、サイド始動入賞口４０Ａを開くか否かの当否判定を行い、当たりの場合に、サイドサブ可動扉４０Ｔを開き進退ガイド片４０Ｚを突出させてサイド始動入賞口４０Ａを所定期間に亘って開くので、その当否判定によって遊技者を楽しませることができる。
【００６７】
３種類目の抽選として、サイド始動入賞口４０Ａに遊技球が入球する度に、「第２の大当たり遊技」を実行するか否かの判定が行われ、その判定の結果が、液晶表示画面３４に表示される。液晶表示画面３４における判定の表示方法は、上記した「第１の大当たり遊技」の当否判定結果の表示方法と同様であり、特別図柄１３Ａ，１３Ｂ，１３Ｃに対する装飾用の色彩、模様等や、液晶表示画面３４における特別図柄１３Ａ，１３Ｂ，１３Ｃの背景画等は、「第１の大当たり遊技」の当否判定結果の場合と異なっている。ここで、大当たり（本発明の「第２の当たり」に相当する）になる確率は１／３９９、小当たり（本発明の「第１の当たり」に相当する）になる確率は、３９８／３９９に設定されている。即ち、サイド始動入賞口４０Ａに遊技球が入球すると、大当たりか小当たりが当たる。遊技の判定の結果が「大当たり」であれば、中央大入賞口１５の中央可動扉１５Ｔを所定期間に亘って開く。なお、液晶表示画面３４において特別図柄１３Ａ，１３Ｂ，１３Ｃが変動表示又は「大当たり状態」の最中にサイド始動入賞口４０Ａに入球した場合、その入賞球は保留されない。
【００６８】
ここで、遊技の判定の結果が小当たりになると、サイド大入賞口３７Ａにおけるサイドメイン可動扉３７Ｔが開放され、サイドメイン可動扉３７Ｔの開放から約１秒後に規制片３８Ｋが内部に退避して、継続入賞口３７Ｚが０．３８８秒開放する。ここで、サイドメイン可動扉３７Ｔが開放してから閉じるまでの間を「ラウンド」と称すると、１つのラウンドは、サイドメイン可動扉３７Ｔの開放時間が１．６秒に達した場合に終了する。また、継続入賞口３７Ｚに遊技球が入球した場合、ラウンド終了後に、連続して次のラウンドが実行される。また、「小当たり状態」（サイドメイン可動扉３７Ｔの開放動作）は、最大で、例えば１６ラウンドまで継続される。そして、「小当たり状態」終了後、２５／５０（時短中は４１／５０）の確率で「時短状態」になるように設定されている。なお、サイド大入賞口３７Ａに入球した遊技球が継続入賞口３７Ｚに入球しなかった場合はその１回目のラウンドで終了し、継続入賞口３７Ｚに入球した場合は次ぎのラウンドからサイドメイン可動扉３７Ｔの開閉を行わずに「大当たり状態」となって中央大入賞口１５の中央可動扉１５Ｔを所定期間に亘って開閉して残りのラウンド（例えば１５ラウンド）が実行される。
【００６９】
このように、サイド大入賞口３７Ａのサイドメイン可動扉３７Ｔは、通常は閉塞しており、遊技球がサイド始動入賞口４０Ａに入球したことを起因にして遊技球が入球可能となるので、サイド始動入賞口４０Ａに遊技球が入球するか否かに興味を持たせることができる。しかも、サイド始動入賞口４０Ａに遊技球が入球した場合には、サイド大入賞口３７Ａのサイドメイン可動扉３７Ｔを開くか中央大入賞口１５の中央可動扉１５Ｔを開くかの判定を行い、小当たりの場合にサイドメイン可動扉３７Ｔを所定期間に亘って開き、大当たりの場合に中央可動扉１５Ｔを所定期間に亘って開くので、その判定によって遊技者を楽しませることができる。即ち、サイド始動入賞口４０Ａに遊技球が入球した後は、中央大入賞口１５又はサイド大入賞口３７Ａに遊技球が入球するか否かに興味を持たせることができる。
【００７０】
さらには、サイド大入賞口３７Ａに遊技球が入球したことを起因に、中央大入賞口１５の中央可動扉１５Ｔを所定期間に亘って開くので、サイド大入賞口３７Ａに遊技球が入球するか否かに興味を持たせることができ、サイド大入賞口３７Ａに遊技球が入球した後は、入球した遊技球が継続入賞口３７Ｚに入球するか否かに興味を持たせることができる。
【００７１】
上記したように、中央大入賞口１５は、中央可動扉１５Ｔによって開閉されるように構成され、中央大入賞口１５の上側に設けた中央始動入賞口１４に遊技球が入球してその当否判定が当たりとなった場合と、サイド始動入賞口４０Ａに遊技球が入球してその判定が大当たり（第２の当たり）となった場合に、中央大入賞口１５の中央可動扉１５Ｔが所定期間に亘って開放される。ここで、中央可動扉１５Ｔが開放してから閉じるまでの間を「ラウンド」と称すると、例えば１つのラウンドは、中央可動扉１５Ｔの開放時間が所定時間（３０秒）に達したか、又は、中央大入賞口１５に遊技球が所定個数（１０個）入球したかの何れかの条件が先に満たされた場合に終了する。また、「大当たり状態」（中央可動扉１５Ｔの開放動作）は、最大で、例えば１５ラウンドまで継続される。そして、「大当たり状態」終了後、２５／５０（時短中は４１／５０）の確率で「時短状態」になるように設定されている。
【００７２】
「時短状態」になると、サイドサブ可動扉４０Ｔの開放秒数及び進退ガイド片４０Ｚの前進秒数が、例えば通常状態の０．０８８秒から１．７秒へと長くなり、それらの回数も１回から３回と増える遊技が行われる。「時短状態」である有利な状態が持続されることにより、「時短状態」中は、サイド始動入賞口４０Ａへ入球し易くなることから通常遊技状態よりも賞球を得やすくなり、持ち球の減りを抑制する状態になる。そして、持ち球を減らすことを抑制しつつ次の大当たりまで遊技を行うことができる。
【００７３】
本実施形態のパチンコ遊技機１０の構成に関する説明は以上である。次に、本実施形態のパチンコ遊技機１０の作用効果について説明する。操作ノブ２８を操作して複数の遊技球を、順次、遊技領域Ｒ１に打ち込むと、それら遊技球の一部は遊技領域Ｒ１のうち表示枠体２３の上方領域から左側の側方領域を流下する。そして、それら遊技球は、風車１９や左側サイド誘導部材２４Ｌのサブ誘導面２４Ｗに案内されて下方領域へと流下し、別の遊技球の一部は、表示枠体２３の左側の側方領域からワープ樋３９を通過してステージ２３Ｓを転動し、表示枠体２３の下方領域へと流下する。この間、一部の遊技球は、中央始動入賞口１４や一般入賞口２０，２１に入賞して賞球が上皿２７Ａに払い出される。また、中央始動入賞口１４に入賞すると、中央可動扉１５Ｔを開くか否かの抽選（当否判定）が行われ、その抽選結果が当たりであると、中央可動扉１５Ｔが開き、表示枠体２３の下方領域を流下する遊技球の多くが中央大入賞口１５に入賞可能となる。
【００７４】
また、遊技領域Ｒ１に打ち込まれた遊技球の一部は、表示枠体２３の上部右側部分とガイドレール１２との間の狭い領域を１球ずつ通過して、表示枠体２３の側方領域の上端部に到る。そして、関所部Ｒ２を通過して表示枠体２３の側方領域を遊技球が１球ずつ流下する。そして、表示枠体２３の右側の側方領域の上端部では、まず、遊技球が、始動ゲート１８の内側を通過するか否かに分かれる。ここで、始動ゲート１８の内側を遊技球が通過すると、サイド始動入賞口４０Ａに入賞可能とするか否かの抽選が行われ、その抽選結果が当たりであれば、所定期間（例えば、通常遊技状態では０．０８８秒間を１回、時短遊技状態では１．７秒を３回）に亘ってサイド始動入賞口４０Ａへの入賞が可能になる。そして、サイド始動入賞口４０Ａに入賞すると、サイドメイン可動扉３７Ｔを開くか、中央可動扉１５Ｔを開くか否かの抽選を行う。そして、サイドメイン可動扉３７Ｔが開き継続入賞口３７Ｚに入球してから中央可動扉１５Ｔが開いたり、中央可動扉１５Ｔが抽選により直接開くと、中央大入賞口１５への大量に遊技球の入球が可能になり、多くの賞球を得ることができる。また、サイド始動入賞口４０Ａへの入賞に基づいて大当たり状態終了後に通常遊技状態にするか時短遊技状態にするかが決定され、継続入賞口３７Ｚを起因にして大当たり状態終了後に決定された遊技状態（通常遊技状態又は時短遊技状態）に移行する構成の場合、通常遊技状態が決定された際に継続入賞口３７Ｚに入賞しないように入賞タイミングを計っても、本実施例では、遊技板右側の発射から入賞までの距離が長い位置にサイドメイン可動扉３７Ｔを設けていることによって、継続入賞口３７Ｚへの入賞タイミングが計りにくい構成になっている。
【００７５】
そして、サイド大入賞口３７Ａが開放している場合、サイド誘導釘群１１Ｓがサイド大入賞口３７Ａへ遊技球を入球させるための案内になる。また、サイド大入賞口３７Ａ、サイド始動入賞口４０Ａに入球しなかったほとんどの遊技球が、右側サイド誘導部材２４Ｒのサブ誘導面２４Ｖで受け止められ、そのサブ誘導面２４Ｖからメイン誘導釘群１１Ｕのメイン誘導面１１Ｖへと案内され、さらに、そのメイン誘導面１１Ｖによって中央大入賞口１５に案内される。このとき、中央可動扉１５Ｔが開いていれば、右側サイド誘導部材２４Ｒのサブ誘導面２４Ｖとメイン誘導釘群１１Ｕのメイン誘導面１１Ｖに案内された遊技球は、高い確率で中央大入賞口１５への入賞が可能になる。
【００７６】
このように、本実施形態のパチンコ遊技機１０では、遊技領域Ｒ１のうち表示枠体２３の下方領域だけではなく表示枠体２３の側方領域を有効に利用して、遊技者を楽しませることができる。また、遊技板１１の側方領域を有効に利用することができたのは、右側サイド誘導部材２４Ｒのサブ誘導面２４Ｖを、上記したようにメイン誘導釘群１１Ｕの配列方向より緩やかに傾斜させて、表示枠体２３の側方領域を下方に配置した上で、さらにサイド始動入賞口４０Ａをメイン誘導釘群１１Ｕの配列方向の延長線Ｌ１上に配置したからである。
【００７７】
即ち、本実施形態のパチンコ遊技機１０では、右側サイド誘導部材２４Ｒのサブ誘導面２４Ｖをメイン誘導釘群１１Ｕの配列方向より緩やかに傾斜させたことで、表示枠体２３の側方領域が従来より上下方向に広くすることができた。これにより、始動ゲート１８とサイド始動入賞口４０Ａを上下に並べて配置することができる。そして、サイド始動入賞口４０Ａをメイン誘導釘群１１Ｕの配列方向の延長線Ｌ１上に配置したことで、中央可動扉１５Ｔのような横幅のある大入賞口を設けることが困難な横幅の領域であってもサイド大入賞口３７Ａを臨ませる領域を確保することができ、その領域内で回動するサイドメイン可動扉３７Ｔでサイド大入賞口３７Ａを開閉することが可能になったので、表示枠体２３の側方領域を有効に利用して、遊技者を楽しませることができる。
【００７８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７９】
（１）前記実施形態では、パチンコ遊技機１０に本発明を適用していたがアレンジボール等に本発明を適用してもよい。
【００８０】
（２）前記実施形態では、サイド始動入賞口４０Ａがメイン誘導釘群１１Ｕの配列方向の延長線Ｌ１上に配置されていたが、その延長線Ｌ１より下方に配置してもよい。
【００８１】
（３）前記実施形態では、左側サイド誘導部材２４Ｌ及び右側サイド誘導部材２４Ｒ設けていたが、始動ゲート１８と、サイド始動入賞口４０Ａ側の一方にだけ設けてもよい。
【００８２】
（４）前記実施形態では、左側サイド誘導部材２４Ｌ及び右側サイド誘導部材２４Ｒを樹脂で成形していたが、金属で成形してもよい。ただし、樹脂で成形した場合には、量産した際に安価に製造することができる。
【図面の簡単な説明】
【００８３】
【図１】本発明の一実施形態に係るパチンコ遊技機の正面図
【図２】遊技板の正面図
【図３】表示枠体の斜視図
【図４】表示枠体の斜視図
【図５】右側サイド誘導部材の斜視図
【図６】遊技板の一部正面図
【図７】遊技球と釘の接触状態を示した正面図
【図８】遊技球と釘の接触状態を示した正面図
【符号の説明】
【００８４】
１０      パチンコ遊技機（弾球遊技機）
１１      遊技板
１１Ｎ    釘
１１Ｓ    サイド誘導釘群
１１Ｕ    メイン誘導釘群
１１Ｖ    メイン誘導面
１２      ガイドレール（区画壁）
１４      中央始動入賞口（中央上部入賞口）
１５      中央大入賞口（中央メイン入賞口）
１５Ｔ    中央可動扉
１８      始動ゲート（サイド入球口）
２３      表示枠体（報知部包囲枠体）
２３Ａ    進入規制突部
２４Ｌ    左側サイド誘導部材
２４Ｒ    右側サイド誘導部材
２４Ｖ，２４Ｗ    サブ誘導面
３４    液晶表示画面（報知部）
３７Ａ    サイド大入賞口（第２サイド可変入賞口）
３７Ｔ    サイドメイン可動扉（第２サイド可動扉）
４０Ａ    サイド始動入賞口（第１サイド可変入賞口）
４０Ｔ    サイドサブ可動扉（第１サイド可動扉）
４０Ｚ    進退ガイド片
Ｌ１    延長線
Ｒ１    遊技領域
Ｒ２    関所部
【図１】
2010099120.tif 000003
【図２】
2010099120.tif 000004
【図３】
2010099120.tif 000005
【図４】
2010099120.tif 000006
【図５】
2010099120.tif 000007
【図６】
2010099120.tif 000008
【図７】
2010099120.tif 000009
【図８】
2010099120.tif 000010